(57)【要約】【課題】  製造時における廃材の発生量を格段的に低減させ得るスピーカ用ガスケット及びその製造方法、並びに信頼性の高いスピーカ装置を提案する。【解決手段】  スピーカ用ガスケットを、全体として長方形のシート状に形成し、その中央部に所定の周囲長を有する偏平した開口部を設けるようにした。また所定材料からなるシート材を、マトリクス状に２次元配列された複数の長方形領域に分割するように、かつ各長方形領域の中央部に所定の周囲長を有する偏平した開口部を形成するように打ち抜くようにしてスピーカ用ガスケットを製造するようにした。さらにスピーカ装置において、全体として長方形のシート状に形成され、その中央部に所定の周囲長を有する偏平した開口部が設けられたガスケットと、その先端開口部に沿ってガスケットを保持するガスケット保持手段が形成されたフレームとを設けるようにした。【選択図】        図５
2005151366.tif 000002
【特許請求の範囲】
【請求項１】
全体として長方形のシート状に形成され、その中央部に所定の周囲長を有する偏平した開口部が設けられた
ことを特徴とするスピーカ用ガスケット。
【請求項２】
上記長方形の４隅が切り欠かれた外形形状を有する
ことを特徴とする請求項１に記載のスピーカ用ガスケット。
【請求項３】
所定材料からなるシート材を、マトリクス状に２次元配列された複数の長方形領域に分割するように、かつ各長方形領域の中央部に所定の周囲長を有する偏平した開口部を形成するように打ち抜くようにしてスピーカ用ガスケットを製造する
ことを特徴とするスピーカ用ガスケットの製造方法。
【請求項４】
各上記長方形領域を、それぞれ４隅を切り欠いた形状に上記シート材から打ち抜く
ことを特徴とする請求項３に記載のスピーカ用ガスケットの製造方法。
【請求項５】
全体として長方形のシート状に形成され、その中央部に所定の周囲長を有する偏平した開口部が設けられたガスケットと、
その先端開口部に沿って上記ガスケットを保持するガスケット保持手段が形成されたフレームと
を具え、
上記ガスケットは、
変形されて上記フレームの上記先端開口部に沿って取り付けられ、
上記フレームの上記ガスケット保持手段は、
上記ガスケットを、上記変形した状態を維持するように当該ガスケットを保持する
ことを特徴とするスピーカ装置。
【請求項６】
上記ガスケットは、
上記長方形の４隅が切り欠かれた外形形状を有する
ことを特徴とする請求項５に記載のスピーカ装置。
【請求項７】
上記ガスケット保持手段は、
上記フレームの先端面に形成された環状の溝部でなる
ことを特徴とする請求項５に記載のスピーカ装置。
【発明の詳細な説明】
【技術分野】
【０００１】
本発明は、スピーカ用ガスケット及びその製造方法並びにスピーカ装置に関し、例えばコーン型スピーカに適用して好適なものである。
【背景技術】
【０００２】
従来、コーン型スピーカとして図７に示すように構成されたものがある。
【０００３】
かかるコーン型スピーカ１は、中央部が開口されたほぼ円錐形状のコーン型振動板２を有し、当該コーン型振動板２の外周側端部がエッジ３を介してフレーム４の先端部に固着されると共に、当該コーン型振動板２の中央部でなる内周側端部がフレーム４内部に固定されたダンパ５に取り付けられており、これによりコーン型振動板２を横揺れさせることなく当該コーン型スピーカ１の前方向（矢印ａ）又はこれと逆の後方向にのみ振動し得るように保持し得るようになされている。
【０００４】
またエッジ３の外周側端部上には、例えばゴム等からなる環状のガスケット６が貼着されており、かくしてこのコーン型スピーカ１を例えばスピーカボックスや自動車の内装パネルに固定したときにこのガスケット６が緩衝材として機能することにより、不要な振動や騒音が発生するのを未然かつ有効に防止し得るようになされている。
【０００５】
さらにコーン型振動板２の内周側端部には、リード線でなるボイスコイル７が巻回された円筒状のボイスコイルボビン８がダンパ５と一体に固着される一方、コーン型振動板２の中央部の開口部２Ａの前方には、当該開口部２Ａを覆うように半球形状のヘッドキャップ９が取り付けられており、かくしてこのヘッドキャップ９によって、コーン型振動板２の径方向の変形や当該コーン型振動板２の開口部２Ａへの塵埃などの侵入を未然に防止し得るようになされている。
【０００６】
一方、フレーム４の下端側には、コーン型振動板２を前後方向に振動させるための磁気回路１０が固定して取り付けられている。この磁気回路１０は、上面中央から円柱形状のポールピース１１Ａが植立された円盤形状のヨーク１１を有し、当該ヨーク１１の上面外周を取り囲むように円環形状のマグネット１２が固着されると共に、当該マグネット１２上に円環形状のプレート１３が積層して固着されている。
【０００７】
このプレート１３の上面がフレーム５の下端に固定されるように磁気回路１０が当該フレーム４に取り付けられると、ボイスコイル７が巻回されたボイスコイルボビン８は、ポールピース１１Ａ及びプレート１３間に形成される磁気ギャップｇ内に非接触状態で取り囲まれるように保持されるようになされている。
【０００８】
かくしてコーン型スピーカ１は、外部供給される音声信号に基づく印加電流に応じてボイスコイル７に電磁力が与えられると、当該ボイスコイル７がマグネット１２と引き合い又は反発することにより、コーン型振動板２が前後方向に振動して音声信号に応じた音波を発生させるようになされている。
【０００９】
なおこのようなコーン型スピーカ１に用いられるガスケット６の製造方法としては、以下の特許文献１がある。
【特許文献１】特開平１−２５６２９９号公報
【発明の開示】
【発明が解決しようとする課題】
【００１０】
ところで、このようなコーン型スピーカ１に用いられるガスケット６は、通常、図８に示すように、一面側に両面粘着シート２０が貼着された例えばゴムからなるシート材２１をリング状に撃ち抜くようにして製造されている。
【００１１】
しかしながらこのような従来の製造方法によると、曲率を有するリング状のガスケット４をそのままの形状でシート材２１から打ち抜くために、シート材２１のうちの実際にガスケット６として利用される部分に対して利用されない部分（無駄部分）の比率が大きく、また無駄部分は再利用が困難であり廃棄するしかないことからシート材２１を有効活用できない問題があった。
【００１２】
かかる問題点を解決するための１つの方法として、上述の特開平１−２５６２９９号公報では、ガスケット６を一方向から押しつぶしたような偏平な変形リング状にシート材２１から打ち抜き、これを変形させてコーン型スピーカ１のフレーム４に取り付ける方法が提案されている。
【００１３】
そしてこの方法によれば、ガスケット６をシート材２１から偏平な変形リング状に打ち抜く分、今まで以上の数のガスケット６をシート材２１から打ち抜くことが可能となり、この結果、シート材２１のうちの廃材となる部分を従来に比して低減させ得るものと考えられる。
【００１４】
しかしながらこの方法によっても、シート材２１から打ち抜かれるガスケット６が偏平に変形された変形リング状であり、全体として曲率をもって形成されるために、シート材から無駄部分を生じさせることなくガスケット６を打ち抜くことができず、シート材２１の有効活用という観点からは今だ不十分な問題があった。
【００１５】
そしてこのように廃材を排出し続けることは地球環境を考える現代の風潮にそぐうものではなく、より一層の廃材の低減が求められている。
【００１６】
本発明は以上の点を考慮してなされたもので、製造時における廃材の発生量を格段的に低減させ得るスピーカ用ガスケット及びその製造方法、並びに信頼性の高いスピーカ装置を提案しようとするものである。
【課題を解決するための手段】
【００１７】
かかる課題を解決するため本発明においては、スピーカ用ガスケットを、全体として長方形のシート状に形成し、その中央部に所定の周囲長を有する偏平した開口部を設けるようにした。
【００１８】
この結果このスピーカ用ガスケットは、全体として曲率を有しないため、シート材から打ち抜く際に生じる無駄部分を格段的に低減させることができる。
【００１９】
また本発明においては、所定材料からなるシート材を、マトリクス状に２次元配列された複数の長方形領域に分割するように、かつ各長方形領域の中央部に所定の周囲長を有する偏平した開口部を形成するように打ち抜くようにしてスピーカ用ガスケットを製造するようにした。
【００２０】
この結果このスピーカ用ガスケットの製造方法によれば、シート材から打ち抜かれるスピーカ用ガスケット（各長方形領域）が全体として曲率を有しないため、スピーカ用ガスケットをシート材から打ち抜く際に生じる無駄部分を格段的に低減させることができる。
【００２１】
さらに本発明においては、スピーカ装置において、全体として長方形のシート状に形成され、その中央部に所定の周囲長を有する偏平した開口部が設けられたガスケットと、その先端開口部に沿ってガスケットを保持するガスケット保持手段が形成されたフレームとを設け、ガスケットを変形させてフレームの開口部に沿って取り付け、ガスケットを、変形した状態を維持するようにフレームのガスケット保持手段により保持するようにした。
【００２２】
この結果このスピーカ装置では、シート材からガスケットを打ち抜く際に生じる無駄部分を格段的に低減させながら、さらにフレームに取り付けられたガスケットが変形により内部に生じた応力によって当該フレームから離脱するのを有効かつ効果的に防止することができる。
【発明の効果】
【００２３】
以上のように本発明によれば、スピーカ用ガスケットを、全体として長方形のシート状に形成し、その中央部に所定の周囲長を有する偏平した開口部を設けるようにしたことにより、シート材から打ち抜く際に生じる無駄部分を格段的に低減させることができ、かくして製造時における廃材の発生量を格段的に低減させ得るスピーカ用ガスケットを実現できる。
【００２４】
また本発明によれば、所定材料からなるシート材を、マトリクス状に２次元配列された複数の長方形領域に分割するように、かつ各長方形領域の中央部に所定の周囲長を有する偏平した開口部を形成するように打ち抜くようにしてスピーカ用ガスケットを製造するようにしたことにより、スピーカ用ガスケットをシート材から打ち抜く際に生じる無駄部分を格段的に低減させることができ、かくして製造時における廃材の発生量を格段的に低減させ得るスピーカ用ガスケットの製造方法を実現できる。
【００２５】
さらに本発明によれば、スピーカ装置において、全体として長方形のシート状に形成され、その中央部に所定の周囲長を有する偏平した開口部が設けられたガスケットと、その先端開口部に沿ってガスケットを保持するガスケット保持手段が形成されたフレームとを設け、ガスケットを変形させてフレームの開口部に沿って取り付け、ガスケットを、変形した状態を維持するようにフレームのガスケット保持手段により保持するようにしたことにより、シート材からガスケットを打ち抜く際に生じる無駄部分を格段的に低減させながら、さらにフレームに取り付けられたガスケットが変形により内部に生じた応力によって当該フレームから離脱するのを有効かつ効果的に防止することができ、かくして信頼性を向上させ得るスピーカ装置を実現できる。
【発明を実施するための最良の形態】
【００２６】
以下図面について、本発明の一実施の形態を詳述する。
【００２７】
（１）本実施の形態によるコーン型スピーカの構成
図７との対応部分に同一符号を付して示す図１において、３０は全体として本実施の形態によるコーン型スピーカを示し、フレーム３１、エッジ３２及びガスケット３３の構造が異なる点を除いて図７について上述した従来のコーン型スピーカ１と同様に構成されている。
【００２８】
実際上、このコーン型スピーカ３０の場合、フレーム３１の内側の先端近傍には、一周に渡って所定高さの環状の突状３１Ａが形成されており、この突状３１Ａに取り付けるようにして従来のエッジ３（図７）の外周部を省略した形状のエッジ３２がフレーム３１に固着されている。
【００２９】
またフレーム３１の先端開口部を形成する先端面には所定幅の溝部３１Ｂが開口部に沿って環状に形成されており、この溝部３１Ｂの底面にその一面側に貼着された両面粘着シート３４の粘着力により固着されるようにしてガスケット３３が取り付けられている。
【００３０】
この場合ガスケット３３は、図２に示すように、全体として長方形のシート状に形成されており、その中央部にはフレーム３１の溝部３１Ｂの内周側壁面の周囲長と同じ又はこれより僅かに短い長さの周囲長を有する例えば楕円形状等の偏平した形状の開口部３３Ａが設けられている。そしてガスケット３３は、図３に示すように、全体として開口部３３Ａの短径方向に引き伸ばすように変形させた状態でフレーム３１の先端面の溝部３１Ｂ内に嵌め込むように配設されている。
【００３１】
これによりこのコーン型スピーカ３０においては、変形させた状態でフレーム３１に取り付けられたガスケット３３の内部に発生する図３において矢印ｂで示すような元の形状に戻ろうとする応力に反して、当該ガスケット３３をフレーム３１の溝部３１Ｂの内周側壁面３１ＢＸにおいて変形させた状態を維持するように保持することができ、かくしてガスケット３３が当該応力によってフレーム３１から剥離するのを未然かつ有効に防止し得るようになされている。
【００３２】
またガスケット３３においては、図２からも明らかなように、長方形状の４隅がそれぞれ切り欠かれており、これにより上述のようにフレーム３１の溝部３１Ｂ内に嵌め込むに際して変形させたときに、当該変形に対する負荷の大きい各隅部における歪みを軽減させ得るようになされている。
【００３３】
（２）本実施の形態によるガスケットの製造手順
ここで、かかる本実施の形態によるコーン型スピーカ３０に用いられるガスケット３３は、図５（Ａ）〜（Ｃ）に示す以下の手順により製造することができる。
【００３４】
すなわち、まず図５（Ａ）に示すように、発泡高分子材料又はゴム等の変形可能な柔軟性材料を用いて形成されたシート材４０の一面４０Ａ側に両面粘着シート４１を貼着し、この後図５（Ｂ）に示すように、このシート材４０を、マトリクス状に隙間なく２次元配列された複数の長方形領域４０Ｂ（図５（Ｂ）において斜線で示す領域）に分割するように打ち抜く。
【００３５】
この際図５（Ｂ）及び図５（Ｃ）に示すように、各長方形領域４０Ｂを、その４隅を切り欠くようにかつ各長方形領域の中央部に楕円形状の開口４０Ｃを形成するようにシート材４０から打ち抜くようにし、これにより打ち抜かれた各長方形領域４０Ｂをそのままガスケットと利用できるようにその形状を成形する。これにより各長方形領域４０Ａごとに図２について上述したガスケット３３を得ることができる。
【００３６】
（３）本実施の形態の動作及び効果
以上の構成において、本実施の形態によるコーン型スピーカ３０では、ガスケット３３が全体として長方形状に形成されているため、シート材４０を隙間なく２次元配列された複数の長方形領域４０Ｂに分割するように打ち抜くようにして当該ガスケット３３を製造することができる。
【００３７】
従って、本実施の形態によるコーン型スピーカ３０に用いられるガスケット３３は、全体として曲率を有しないため、その製造時において、シート材４０における各長方形領域４０Ｂの４隅及び開口部４０Ｃの内側以外の部位を無駄にすることなくシート材４０を有効活用しながら製造することができる。
【００３８】
かくしてガスケット３３をこのような形状とすることによって、その作製時に発生する廃材の量を従来に比して格段的に低減（５０〔％〕程度に低減）させることができ、またこの結果として１枚のシート材４０からより多く製造することができる。
【００３９】
また本実施の形態によるコーン型スピーカ３０では、このようにして作製したガスケットを変形させてフレーム３１の先端面に形成された溝部３１Ｂ内に嵌め込むようにして当該フレーム３１に取り付けるようにしているため、この変形によりガスケット３３の内部に発生する元の形状に戻ろうとする応力を溝部３１Ｂの内周側壁面３１ＢＸによって支え、当該ガスケット３３がフレーム３１から剥離するのを未然かつ有効に防止することができる。
【００４０】
以上の構成によれば、ガスケット３３を全体として長方形状に形成するようにしたことにより、シート材４０からガスケット３３を打ち抜く際に生じる無駄部分を格段的に低減させることができ、かくして製造時における廃材の発生量を格段的に低減させ得るガスケットを実現できる。
【００４１】
またフレーム３１の先端面に溝部３１Ｂを設け、当該溝部３１Ｂ内に嵌め込むようにしてこのガスケット３３をフレーム３１に取り付けるようにしたことにより、ガスケット３３が不用意にフレーム３１から剥離するのを有効かつ効果的に防止することができ、かくして信頼性の高いコーン型スピーカを実現できる。
【００４２】
（４）他の実施の形態
なお上述の実施の形態においては、本発明を外磁型のコーン型スピーカ１に適用するようにした場合について述べたが、本発明はこれに限らず、例えば内磁型のコーン型スピーカなど、この他種々のタイプのスピーカ装置に広く適用することができる。
【００４３】
また上述の実施の形態においては、ガスケット３３の中央部に形成する開口部３３Ａの形状を楕円形状とするようにした場合について述べたが、本発明はこれに限らず、要は、フレーム３１の溝部３１Ｂの内周側壁面の周囲長と同じ又はこれより僅かに短い長さの周囲長を有する偏平した形状に形成するのであれば、開口部３３Ａの形状としては、この他種々の形状を広く適用することができる。
【００４４】
さらに上述の実施の形態においては、フレーム３１の先端開口部に沿ってガスケット３３を変形した状態を維持するように保持するガスケット保持手段として、フレーム３１の先端面に溝部３１Ｂを形成するようにした場合について述べたが、本発明はこれに限らず、例えばフレーム３１の先端面に当該フレーム３１の先端開口部に沿って一周に渡って突条を突出形成するようにしても良く、また当該突条に代えて、例えば図６に示すように、フレーム３１の先端面に当該フレーム３１の先端開口部に沿って一周に渡って間欠的に突起５０を突出形成するようにしても良い。
【産業上の利用可能性】
【００４５】
本発明は、コーン型スピーカの他、この他種々のスピーカ装置及び当該スピーカ装置に用いられるスピーカ用ガスケットに適用することができる。
【図面の簡単な説明】
【００４６】
【図１】本実施の形態によるコーン型スピーカの構成を示す断面図である。
【図２】本実施の形態によるガスケットの具体的構成を示す斜視図である。
【図３】変形されたガスケットの様子を示す斜視図である。
【図４】変形されたガスケットに発生する応力の説明に供する正面図である。
【図５】本実施の形態によるガスケットの製造手順の説明に供する斜視図である。
【図６】他の実施の形態を示す正面図である。
【図７】従来のコーン型スピーカの構成を示す断面図である。
【図８】従来のガスケットの製造方法の説明に供する斜視図である。
【符号の説明】
【００４７】
３０……コーン型スピーカ、３１……フレーム、３１Ｂ……溝部、３１ＢＸ……内周側壁面、３３……ガスケット、３３Ａ……開口部、３４、４１……両面粘着シート、４０……シート材、４０Ｂ……長方形領域、５０……突起。
【図１】
2005151366.tif 000003
【図２】
2005151366.tif 000004
【図３】
2005151366.tif 000005
【図４】
2005151366.tif 000006
【図５】
2005151366.tif 000007
【図６】
2005151366.tif 000008
【図７】
2005151366.tif 000009
【図８】
2005151366.tif 000010